(57)【特許請求の範囲】
【請求項１】
略平行光束である入射光束の偏光状態を変換して、１方向に直線偏光した光束とする偏光変換光学系において、
平行平板状の透明基板の少なくとも片面に、無機材料による微細周期構造を形成され、入射光束のＰ偏光成分およびＳ偏光成分の一方を選択的に透過させ、他方を反射させる無機偏光分離素子と、
平反射面と１／４波長層とを組合せてなり、上記無機偏光分離素子により反射された偏光成分を反射し、反射光束の偏光状態を、上記無機偏光分離素子を透過する偏光成分と同じ偏光状態に変換する反射光学素子とを有し、  
上記無機偏光分離素子の入射側面への入射光束の主光線の入射角：θが、
１°≦θ≦１２°  
の範囲の角に設定され、
上記無機偏光分離素子を透過した光束と、反射光学素子により偏光状態を変換された反射光束とが、互いに平行な光束となるように、上記無機偏光分離素子と反射光学素子との相対的な位置関係が定められ、
上記反射光学素子により反射された反射光束を、その偏光状態を保ったまま透過させる平行平板状で上記無機偏光分離素子とは別個の透過光学素子を有し、
上記無機偏光分離素子を透過した光束と、上記透過光学素子を透過した光束とが、互いに平行な光束となるように、上記無機偏光分離素子と上記反射光学素子と上記透過光学素子との相対的な位置関係が定められ、
上記無機偏光分離素子と、上記透過光学素子とが密接して屋根型をなして一体化され、
上記無機偏光分離素子を透過した光束と透過光学素子を透過した光束とが、互いに平行で近接もしくは密接するように、上記反射光学素子の位置が設定されていることを特徴とする偏光変換光学系。
【請求項２】
請求項１記載の偏光変換光学系において、
透過光学素子が、無機偏光分離素子と同一の光学機能を有するものであることを特徴とする偏光変換光学系。
【請求項３】
請求項１記載の偏光変換光学系において、
透過光学素子が、無機偏光分離素子と別個の透明平行平板であることを特徴とする偏光変換光学系。
【請求項４】
請求項１〜３の任意の１に記載の偏光変換光学系を１単位として、その複数単位を所定の１方向にアレイ配列してなる偏光変換光学系アレイ。
【請求項５】
ランダム偏光状態の発散光を放射する固体発光素子と、
この固体発光素子から放射される発散光を略平行光束化するコリメートレンズと、
このコリメートレンズにより平行光束化された光束の偏光状態を、直線偏光状態に変換する偏光変換手段とを有し、
上記偏光変換手段が、請求項１〜３の任意の１に記載の偏光変換光学系であって、上記平行光束化された光が、無機偏光分離素子に入射角：θで入射するように、上記平行光束化された光に対して位置設定されていることを特徴とする光源装置。
【請求項６】
ランダム偏光状態の発散光を放射する２以上の固体発光素子をアレイ配列してなる固体発光素子アレイと、
各固体発光素子から放射される発散光を略平行光束化するコリメートレンズを、固体発光素子のアレイ配列と同ピッチで、上記固体発光素子アレイと平行にアレイ配列してなるコリメートレンズアレイと、
このコリメートレンズアレイにより平行光束化された個々の光束の偏光状態を、直線偏光状態に変換する偏光変換手段と、を有し、
上記偏光変換手段が、請求項１〜３の任意の１に記載の偏光変換光学系であって、上記固体発光素子アレイおよびコリメートレンズアレイのアレイ配列方向に長く、上記固体発光素子アレイ、コリメートレンズアレイに共通化されていることを特徴とする光源装置。
【請求項７】
ランダム偏光状態の発散光を放射する２以上の固体発光素子をアレイ配列してなる固体発光素子アレイと、
各固体発光素子から放射される発散光を略平行光束化するコリメートレンズを、固体発光素子のアレイ配列と同ピッチで、上記固体発光素子アレイと平行にアレイ配列してなるコリメートレンズアレイと、
このコリメートレンズアレイにより平行光束化された個々の光束の偏光状態を、直線偏光状態に変換する偏光変換手段とを有し、
上記偏光変換手段が、請求項４記載の偏光変換光学系アレイであって、偏光変換光学系のアレイ配列が、上記固体発光素子アレイおよびコリメートレンズアレイのアレイ配列と同ピッチで、同方向であることを特徴とする光源装置。
【発明の詳細な説明】
【技術分野】
【０００１】
この発明は、偏光変換光学系および偏光変換光学系アレイおよび光源装置に関する。
【背景技術】
【０００２】
入射光束の偏光状態を変換する偏光変換素子は、各種の位相板や偏光子等として従来か
ら広く知られている。なかでも、入射光束の偏光状態を変換して、１方向に直線偏光した
光束とするものは偏光子あるいは検光子として使用されるが、従来、安価な偏光変換素子
として知られた有機材料を用いるものは、熱等の環境条件に特性が左右されやすく、寿命
の点でも長寿命化が困難であるとされている。
【０００３】
熱等に影響されにくく、長寿命の偏光分離素子が提案されている（特許文献１、２）。
この偏光分離素子は、ランダム偏光状態にある光を透過と反射とにより、互いに偏光面
が直交する直線偏光状態の２光束に分離するものである。  
例として１例を挙げれば、例えば、特許文献１の段落「０００９」に記載されたように
「透明平行平板の片面に、波長の１／４〜１／２のピッチで形成されたライン／スペース
形状の断面矩形波状溝を有する基板と、基板の溝を埋めると共に溝短手方向に三角波形状
で溝長手方向に直線状の凸部を備えた調整層を有し、調整層の上に、透明な高屈折率の媒
質からなる複数の高屈折率層と透明な低屈折率の媒質からなる複数の低屈折率層が交互に
積層された構成」のものである。
【０００４】
このように、光の波長よりも十分に小さいピッチで微細凹凸構造をなす「高屈折率層と
低屈折率層の交互の積層体」に光が入射すると、微細凹凸構造の凸部の長手方向に平行な
方向に電場の振動面を有する（ＴＥモードの）光の大部分は反射され、凹凸の周期方向に
電場の振動面を有する（ＴＭモードの）光の大部分は偏光分離素子を透過する。こうして
、互いに直交する電場の振動面を有する光が分離される。
【０００５】
このような偏光分離素子は、特許文献１の段落「００１０」に記載されたように、透明
平行平板による基板に「電子ビームリソグラフィ及びドライエッチング」によりライン／
スペース形状の周期的な溝（断面「矩形波状」である。）を形成し、基板と同材料のター
ゲットを用いたスパッタリングによる成膜及び逆スパッタリングによるスパッタエッチン
グを繰り返して、上記ライン／スペース形状の周期的な溝を埋めると共に、溝周期方向に
三角波形状で、溝長手方向に直線状の凸部を備えた調整層を形成し、さらに、高屈折率の
透明媒質及び低屈折率の透明媒質のターゲットを用い、スパッタリングによる成膜及び逆
スパッタリングによるスパッタエッチングを繰り返して、高屈折率層と低屈折率層を順次
、交互に積層させることにより製造することができる。
【０００６】
また、平板状の偏光分離素子として「ワイヤグリッド構造を備えた無機偏光板」も従来
から知られている。  
これらの偏光分離素子は薄板状であるので、従来の直方体形状のものに比して設置に必
要なスペースが小さくてよく、これらを用いる光学装置のコンパクト化に資するところが
大きい。
【０００７】
ところで、プロジェクタ等においては「ランダム偏光状態の入射光束の偏光状態を変換
して、１方向に直線偏光した光束とする」機能を持つ偏光変換素子が用いられる。この偏
光変換素子として上記「無機材料による偏光分離素子」を用いると、光源から放射される
ランダム偏光状態の照明光は、偏光分離素子を透過する成分（ＴＭモード光）と反射され
る成分（ＴＥモード光）により分離され、分離された２光束はともに直線偏光状態である
が、液晶ライトバルブやＤＭＤに照射される光は、分離された成分の一方のみであり、残
りの５０％は無駄になり、光利用効率が低かった。
【０００８】
また、偏光の分離が「透過と反射」によりなされるので、例えば、偏光分離素子に照明
光を直交させて入射させると、反射された成分（ＴＥモード光）が光源に直接戻ることに
なる。光源としてＬＤやＬＥＤ等の固体発光素子を用いる場合、このような戻り光は固体
発光素子の発光状態に影響を及ぼし、発光強度を変動させる等の問題を引き起こす。
【０００９】
【特許文献１】特開２００６−３３７８６０
【特許文献２】特開２００７−    ３７５６
【発明の開示】
【発明が解決しようとする課題】
【００１０】
この発明は、上述した事情に鑑みてなされたものであり、光利用効率を有効に高め得る
偏光変換光学系の実現、また、戻り光の影響を除去できる光源装置の実現を課題とする。
【課題を解決するための手段】
【００１１】
この発明の偏光変換光学系は「略平行光束である入射光束の偏光状態を変換して、１方
向に直線偏光した光束とする偏光変換光学系」であって、無機偏光分離素子と、反射光学
素子とを有する（請求項１）。  
「無機偏光分離素子」は、平行平板状の透明基板の少なくとも片面に、無機材料による
微細周期構造を形成され、入射光束のＰ偏光成分およびＳ偏光成分の一方を選択的に透過
させ、他方を反射させて偏光分離を行う素子である。  
無機偏光分離素子としては、上述の特許文献１等に記載の「透明平行平板の片面に、波
長の１／４〜１／２のピッチで形成されたライン／スペース形状の断面矩形波状溝を有す
る基板と、基板の溝を埋めると共に溝短手方向に三角波形状で溝長手方向に直線状の凸部
を備えた調整層を有し、調整層の上に、透明な高屈折率の媒質からなる複数の高屈折率層
と透明な低屈折率の媒質からなる複数の低屈折率層が交互に積層された構成」のものや、
前述の「ワイヤグリッド構造を備えた無機偏光板」等を用いることができる。
【００１２】
「反射光学素子」は、平反射面と１／４波長層とを組合せてなり、無機偏光分離素子に
より反射された偏光成分を反射するとともに、反射光束の偏光状態を「無機偏光分離素子
を透過する偏光成分と同じ偏光状態」に変換する光学素子である。
【００１３】
そして、無機偏光分離素子の入射側面への入射光束の主光線の入射角：θは  
１°≦θ≦１２°
の範囲内の角に設定され、無機偏光分離素子を透過した光束と、反射光学素子により偏光
状態を変換された反射光束とが「互いに平行な光束となる」ように、無機偏光分離素子と
反射光学素子との相対的な位置関係が定められている。
【００１４】
即ち、請求項１記載の偏光変換光学系において、略平行光束である入射光束は無機偏光
分離素子に「１度以上、１２度以下」の入射角：θを持って入射し、一部は無機偏光分離
素子を透過する。透過光束は入射光束と平行である。一方、無機偏光分離素子により反射
された偏光成分は、入射光束の入射方向に対して角：２θをなして反射され、反射光学素
子の平反射面に入射して反射されるが、平反射面に組合せられた１／４波長板を往復透過
することで偏光面が９０度旋回され「無機偏光分離素子を透過した偏光成分」と同じ偏光
状態になる。
【００１５】
そして、無機偏光分離素子と反射光学素子との相対的な位置関係が「無機偏光分離素子
を透過した光束と、反射光学素子により偏光状態を変換された反射光とが、互いに平行な
光束となる」ように定められているので、入射光束を「入射方向に平行で、直線偏光した
光束」に変換することができる。このとき、原理的には入射光束の１００％を「直線偏光
状態の光束」に変換できる。
【００１６】
請求項１記載の偏光変換素子は、反射光学素子により反射された反射光束を「その偏光状態を保ったまま透過」させる平行平板状の透過光学素子を有する。この透過光学素子は、これを透過した光束と、無機偏光分離素子を透過した光束とが、互いに平行な光束となるように、無機偏光分離素子と反射光学素子とに対する相対的な位置関係が定められている。
【００１７】
この透過光学素子は「無機偏光分離素子と同一の光学機能を有するもの」であることができる（請求項２）。反射光学素子により反射された光束の偏光状態は、無機偏光分離素子を透過する光束の偏光成分と同じ偏光状態であるので、透過光学素子をそのまま透過する。この請求項１の偏光変換光学素子において、透過光学素子は無機偏光分離素子と同一の光学機能を持つので、無機偏光分離素子と同じ構成で互いに別個のものを用いることができるが、無機偏光分離素子自体を大面積に形成し、その一部を「透過光学素子」として用いることもできる。  
請求項１記載の偏光変換光学系における透過光学素子としてはまた「無機偏光分離素子と別個の透明平行平板」であることもできる（請求項３）。
【００１８】
請求項１〜３に記載の偏光変換光学系は何れも、無機偏光分離素子と、この無機偏光分離素子と別個の透過光学素子とを密接して、屋根型をなして一体化し、無機偏光分離素子を透過した光束と透過光学素子を透過した光束とが、互いに平行で近接もしくは密接するように、反射光学素子の位置を設定した構成である。 
この発明の偏光変換素子アレイは、請求項１〜３の任意の１に記載の偏光変換光学系を
１単位として、その複数単位を所定の１方向にアレイ配列してなる（請求項４）。
【００１９】
請求項５記載の光源装置は、固体発光素子と、コリメートレンズと、偏光変換手段とを有する。  
「固体発光素子」は、ランダム偏光状態の発散光を放射する固体発光素子であり、例え
ば、ＬＥＤや「ランダム偏光状態の発散光を放射するＬＤ」であることができる。
【００２０】
「コリメートレンズ」は、固体発光素子から放射される発散光を略平行光束化するレンズである。  
「偏光変換手段」は、コリメートレンズにより平行光束化された光束の偏光状態を、直線偏光状態に変換する偏光変換手段であり、請求項１〜３の任意の１に記載の偏光変換光学系が用いられる。偏光変換手段は、コリメートレンズにより平行光束化された光が「無機偏光分離素子に入射角：θで入射するように、平行光束化された光に対して位置設定」されている。
【００２１】
請求項６記載の光源装置は、固体発光素子アレイと、コリメートレンズアレイと、偏光変換手段とを有する。 
「固体発光素子アレイ」は、ランダム偏光状態の発散光を放射する２以上の固体発光素子をアレイ配列してなる。具体的には、個別のＬＥＤやＬＤをアレイ配列したものや、複数の発光部をモノリシックに有するＬＤアレイやＬＥＤバーを用いることができる。
【００２２】
「コリメートレンズアレイ」は、固体発光素子アレイの各固体発光素子から放射される
発散光を略平行光束化するコリメートレンズを「固体発光素子のアレイ配列と同ピッチで
、固体発光素子アレイと平行にアレイ配列」してなる。アレイ配列されるコリメートレン
ズは互いに別体であってもよいが、全体もしくは一部が相互に一体化されていてもよい。
【００２３】
「偏光変換手段」は、コリメートレンズアレイにより平行光束化された個々の光束の偏
光状態を、直線偏光状態に変換する機能を有し、請求項１〜６の任意の１に記載の偏光変
換光学系であって「固体発光素子アレイ及びコリメートレンズアレイのアレイ配列方向」
に長く、「固体発光素子アレイおよびコリメートレンズアレイに共通化」されている。
【００２４】
請求項７記載の光源装置は、固体発光素子アレイと、コリメートレンズアレイと、偏光
変換手段とを有する。  
「固体発光素子アレイ」は、ランダム偏光状態の発散光を放射する２以上の固体発光素
子をアレイ配列してなるものであり、上述の請求項６記載のものと同様のものである。
「コリメートレンズアレイ」は、各固体発光素子から放射される発散光を略平行光束化
するコリメートレンズを、固体発光素子のアレイ配列と同ピッチで、固体発光素子アレイ
と平行にアレイ配列してなり、上述の請求項６記載のものと同様のものである。
【００２５】
「偏光変換手段」は、コリメートレンズアレイにより平行光束化された個々の光束の偏光状態を直線偏光状態に変換するものであり、請求項６記載の偏光変換光学系アレイが用いられる。偏光変換光学系のアレイ配列は「固体発光素子アレイおよびコリメートレンズアレイのアレイ配列と同ピッチで、同方向」である。即ち、請求項７記載の光源装置では、基本的に請求項７記載の光源装置を複数個、アレイ配列した構成であり、光源装置の個々は個別であってもよいし、別個の保持手段等により全体を一体としてもよい。
【００２６】
以下、参考技術を説明する。
この参考技術の光源装置は、固体発光素子と、コリメートレンズと、無機偏光分離素
子とを有する。
【００２７】
「固体発光素子」は、ランダム偏光状態の発散光を放射するものであって、上述のＬＤ
やＬＥＤが用いられる。  
「コリメートレンズ」は、固体発光素子から放射される発散光を略平行光束化する。
【００２８】
「無機偏光分離素子」は、平行平板状の透明基板の少なくとも片面に、無機材料による
微細周期構造を形成され、入射光束のＰ偏光成分およびＳ偏光成分の一方を選択的に透過
させ、他方を反射させる偏光分離素子であり、前述の特許文献１等に記載されたものや、
ワイヤグリッド構造を備えたものを用いることができる。
【００２９】
この無機偏光分離素子は、コリメートレンズにより平行光束化された光を入射されるが「反射される偏光成分が固体発光素子の発光部へ戻らない」ように、コリメートレンズの光軸に対して傾けて配置されている。このように、参考技術の光源装置においては、平行平板状の無機偏光分離素子はコリメートレンズの光軸に対して傾く。  
この傾き角を「α（≠０）」とすると、入射光束は無機偏光分離素子に傾いて入射する。このときの入射角はαに等しく、無機偏光分離素子により反射される偏光成分は入射方向に対して「２αの角」をなす。
【００３０】
傾き角：αは、反射された偏光成分の光が「固体発光素子の発光部へ戻らない」ような
大きさに設定される。このとき、αを大きく設定すれば、無機偏光分離素子とコリメート
レンズとの間隔を短くできるが、傾き角：αが大きくなりすぎると、無機偏光分離素子の
「偏光分離機能」を十全に機能させることができない。偏光分離機能を十全に機能させる
ためには、αは小さきほうが良いが、αが小さくなると「反射された偏光成分の光が固体
発光素子の発光部へ戻らない」ようにするには、無機偏光分離素子とコリメートレンズと
の間隔を大きく設定せざるを得ず、光源装置が大型化する。
【００３１】
無機偏光分離素子の機能を十分に機能させることができ、なおかつ、光源装置を大型化
することなく「反射された偏光成分の光が固体発光素子の発光部へ戻らない」ようにする
には、角：αの範囲は、
１°≦α≦１２°
の範囲であり、請求項１におけるθの範囲「１°≦θ≦１２°」の範囲も、このような観
点から定められている。角：θ、αのより好ましい範囲は、
２°≦θ≦１０°、２°≦α≦１０°  
である。
【発明の効果】
【００３２】
以上のように、この発明によれば、新規な偏光変換光学系および偏光変換光学系アレイおよび光源装置を実現できる。請求項１〜７の何れかに記載の発明によれば、光源からのランダム偏光状態の光を実質的に１００％の利用効率で直線偏光状態に変換できる。また、この発明の光源装置では、無機偏光分離素子で反射された偏光成分が固体発光素子の発光部に戻って発光状態に影響を与えることがない。
【発明を実施するための最良の形態】
【００３３】
以下、実施の形態を説明する。  
先ず、図１〜図３を参照して、用語等の説明を行う。
図１は、参考技術としての光源装置の１形態を示している。  
図１において、符号１０は光源装置、符号１１は固体発光素子、符号１３はコリメートレンズ、符号１５は無機偏光分離素子、符号１７は反射光学素子をそれぞれ示している。
【００３４】
固体発光素子１１は「ランダム偏光状態の発散光を放射する」ものであり、前述の「ラ
ンダム偏光状態の発散光を放射するＬＤ」やＬＥＤが用いられる。
【００３５】
固体発光素子１１から放射されたランダム偏光状態の発散光束はコリメートレンズ１３
により、略平行光束である入射光束Ｌ０に変換され、平行平板状の無機偏光分離素子１５
に入射する。  
無機偏光分離素子１５は、平行平板状の透明基板の少なくとも片面に、無機材料による
微細周期構造を形成され、この実施の形態においては、入射光束Ｌ０におけるＰ偏光成分
ＬＰを選択的に透過させ、Ｓ偏光成分ＬＳを反射させることによりランダム偏光状態の入
射光束を、偏光面が互いに直交するＰ偏光成分ＬＰとＳ偏光成分ＬＳとに分離する。この
例に限らず、無機偏光分離素子１５が、Ｓ偏光成分を透過させ、Ｐ偏光成分を反射させる
ようにする構成も可能である。
【００３６】
無機偏光分離素子１５は平行平板状であるので、透過したＰ偏光成分ＬＰは入射光束Ｌ
０と同方向に進行する平行光束である。  
無機偏光分離素子１５は、図の如く、入射光束Ｌ０に対して角：θだけ傾けられており
、従って入射光束Ｌ０は入射角：θで無機偏光分離素子１５に入射する。無機偏光分離素
子１５により反射された反射光束はＳ偏光成分ＬＳであり、入射光束Ｌ０に対して「２θ
」傾いて進行し、反射光学素子１７に入射する。
【００３７】
無機偏光分離素子１５の傾き角：θは、前述したように、無機偏光分離素子１５の機能を十分に機能させることができ、なおかつ、光源装置を大型化することなく「反射された偏光成分ＬＳが固体発光素子１１の発光部へ戻らない」ように、また、反射された偏光成分ＬＳが反射光学素子１７の平反射面１７１Ａに有効に入射するように、
１°≦θ≦１２°  
の範囲、より好ましくは、  
２°≦θ≦１０°    
の範囲に設定されるが、この形態例では１０度に設定されている。
【００３８】
反射光学素子１７は反射鏡１７１の平反射面１７１Ａに、１／４波長層１７２を形成し
てなり、平反射面１７１Ａが無機偏光分離素子１５と平行に対向するように傾けられ、反
射光束であるＳ偏光成分ＬＳが全て入射するように、大きさおよび配置位置を設定されて
いる。
【００３９】
従って、偏光成分ＬＳは反射光学素子１７の平反射面１７１Ａにより全て反射されるが
、反射される際に、１／４波長層１７２を往復透過するので、位相が１８０度変換され、
偏光面が９０度旋回される。その結果、反射光束は無機偏光分離素子１５を透過したＰ偏
光成分ＬＰと同じ偏光方向の光束ＬＰ１となる。平反射面１７１Ａは無機偏光分離素子１
５と平行に対向しているので、反射光束ＬＰ１は、Ｐ偏光成分ＬＰと平行な光束となる。
【００４０】
この形態例における無機偏光分離素子１５と反射光学素子１７とは「偏光変換光学系」を構成している。  
即ち、この「偏光変換光学系」は、略平行光束である入射光束の偏光状態を変換して、１方向に直線偏光した光束とする偏光変換光学系において、平行平板状の透明基板の少なくとも片面に、無機材料による微細周期構造を形成され、入射光束Ｌ０のＰ偏光成分ＬＰを選択的に透過させ、Ｓ偏光成分を反射させる無機偏光分離素子１５と、平反射面１７１Ａと１／４波長層１７２とを組合せてなり、無機偏光分離素子１５により反射された偏光成分ＬＳを反射し、反射光束ＬＰ１の偏光状態を、無機偏光分離素子１５を透過する偏光成分ＬＰと同じ偏光状態に変換する反射光学素子１７とを有し、無機偏光分離素子１５の入射側面への入射光束の主光線の入射角：θが１°≦θ≦１２°の範囲の角：１０°に設定され、無機偏光分離素子１５を透過した光束ＬＰと、反射光学素子１７により偏光状態を変換された反射光束ＬＰ１とが、互いに平行な光束となるように、無機偏光分離素子１５と反射光学素子１７との相対的な位置関係が定められている。
【００４１】
図２は、無機偏光分離素子の代表的な例を２例示す図である。  
図２（ａ）に示す無機偏光分離素子１５０は、透明平行平板の片面に、波長（固体発光
素子１１の発光波長）の１／４〜１／２のピッチで形成された「ライン／スペース形状の
断面矩形波状溝」を有する基板１５１と、基板１５１の溝を埋めると共に溝短手方向（図
の上下方向）に「三角波形状で溝長手方向（図面に直交する方向）に直線状の凸部」を備
えた調整層１５３を有し、調整層１５３の上に、透明な高屈折率の媒質からなる複数の高
屈折率層と透明な低屈折率の媒質からなる複数の低屈折率層が交互に積層された積層体１
５５を有するものである。積層体１５５の表面形状は、調整層１５３表面の「断面三角波
形状」に倣った微細凹凸構造となる。
【００４２】
このように、光の波長よりも十分に小さいピッチで微細凹凸構造をなす「高屈折率層と
低屈折率層の交互の積層体」に光が入射すると、微細凹凸構造の凸部の長手方向に平行な
方向に電場の振動面を有する（ＴＥモードの）光の大部分（説明中の実施の形態ではＳ偏
光成分）は反射され、凹凸の周期方向に電場の振動面を有する（ＴＭモードの）光（説明
中の実施の形態ではＰ偏光成分）の大部分は無機偏光分離素子１５０を透過する。
【００４３】
このような偏光分離素子は、特許文献１記載のように、透明平行平板の片面に「電子ビ
ームリソグラフィ及びドライエッチング」によりライン／スペース形状の周期的な溝（上
記「断面矩形波状」の溝）を形成して基板１５１とし、基板と同材料のターゲットを用い
たスパッタリングによる成膜及び逆スパッタリングによるスパッタエッチングを繰り返し
て、上記ライン／スペース形状の周期的な溝を埋めると共に、溝周期方向に三角波形状で
、溝長手方向に直線状の凸部を備えた調整層１５３を形成し、さらに、高屈折率の透明媒
質及び低屈折率の透明媒質のターゲットを用い、スパッタリングによる成膜及び逆スパッ
タリングによるスパッタエッチングを繰り返して、高屈折率層と低屈折率層を順次、交互
に積層させて積層体１５５を形成することにより製造することができる。
【００４４】
図２（ｂ）は、無機偏光分離素子１５００を示している。  
無機偏光分離素子１５００は、図２（ａ）に示した無機偏光分離素子１５０と同様の構
成の、２枚の無機偏光分離素子１５０Ａと１５０Ｂとを透明な基板の側で接着等の貼り合
せ方法で一体化したものである。
【００４５】
このような構成とすることにより、２つの積層構造を入射光の方向へ直列的に設けるこ
とができ、図２（ａ）の場合よりも更に、偏光分離の効率を高めることができる。
【００４６】
勿論、この発明における無機偏光分離素子は図２に例示するものに限らず、前述の「ワ
イヤグリッド構造を備えた無機偏光板」や、「ワイヤグリッド構造を備えた無機偏光板を
２枚重ねて一体化したもの」、図２（ａ）に示した無機偏光分離素子１５０と「ワイヤグ
リッド構造を備えた無機偏光板」を互いに重ねて一体化したもの等を適宜に用いることが
できる。
【００４７】
図１に即して説明した光源装置においては、図示の如く、偏光変換された偏光成分ＬＰ
とＬＰ１とはそれぞれ平行光束で「互いに平行」であるが、偏光成分ＬＰとＬＰ１とは、
図の上下方向において相互間に「若干の隙間」がある。しかし、無機偏光分離素子１５、
反射光学素子１７の大きさや、相互の位置関係を調整することにより、偏光成分ＬＰとＬ
Ｐ１とが「互いに密接する」ようにすることも勿論可能である。
【００４８】
図３は、光源装置の別形態例を説明図的に示している。繁雑を避けるため、混同の虞が無いと思われるものについては、図１におけると同一の符号を用いた。
固体発光素子１１から放射された「ランダム偏光状態の発散光束」はコリメートレンズ１３により、略平行光束である入射光束Ｌ０に変換され、平行平板状の無機偏光分離素子１５Ａに入射する。  
無機偏光分離素子１５Ａは、平行平板状の透明基板の少なくとも片面に、無機材料による微細周期構造を形成され、この実施の形態においては、入射光束Ｌ０におけるＰ偏光成分ＬＰを選択的に透過させ、Ｓ偏光成分ＬＳを反射させることにより、ランダム偏光状態の入射光束Ｌ０を、偏光面が互いに直交するＰ偏光成分ＬＰとＳ偏光成分ＬＳとに分離する。無機偏光分離素子１５Ａが、Ｓ偏光成分を透過させ、Ｐ偏光成分を反射させるようにする構成も可能である。
【００４９】
無機偏光分離素子１５Ａは平行平板状であるので、透過したＰ偏光成分ＬＰは入射光束
Ｌ０と同方向に進行する平行光束である。  
無機偏光分離素子１５Ａは、図の如く、入射光束Ｌ０に対して角：θだけ傾けられてお
り、入射光束Ｌ０は入射角：θで無機偏光分離素子１５Ａに入射する。無機偏光分離素子
１５Ａにより反射された反射光束はＳ偏光成分ＬＳであり、入射光束Ｌ０に対して２θ傾
いて進行し、反射光学素子１７に入射する。
【００５０】
無機偏光分離素子１５Ａの傾き角：θは、無機偏光分離素子１５Ａの機能を十分に機能させることができ、なおかつ、光源装置を大型化することなく「反射された偏光成分ＬＳが固体発光素子１１の発光部へ戻らない」ように、また、反射された偏光成分ＬＳが反射光学素子１７の平反射面１７１Ａに有効に入射するように、
１°≦θ≦１２°  
の範囲、より好ましくは、  
２°≦θ≦１０°
の範囲に設定されるが、この形態例では１０度に設定されている。
【００５１】
反射光学素子１７は反射鏡１７１の平反射面１７１Ａに、１／４波長層１７２を形成し
てなり、平反射面１７１Ａが無機偏光分離素子１５と平行に対向するように傾けられ、反
射光束であるＳ偏光成分ＬＳが全て入射するように、大きさおよび配置位置を設定されて
いる。
【００５２】
偏光成分ＬＳは、反射光学素子１７の平反射面１７１Ａにより全て反射されるが、反射
される際に、１／４波長層１７２を往復透過するので位相が１８０度変換され、偏光面が
９０度旋回される。その結果、反射光束は無機偏光分離素子１５を透過したＰ偏光成分Ｌ
Ｐと同じ偏光方向の光束ＬＰ１となる。平反射面１７１Ａは無機偏光分離素子１５と平行
に対向しているので、反射光束ＬＰ１はＰ偏光成分ＬＰと平行な光束となる。
【００５３】
この形態例における無機偏光分離素子１５Ａと反射光学素子１７とは「偏光変換光学系」を構成している。  
図３の形態例においては、無機偏光分離素子１５Ａの大きさが、図の上下方向に大きく、光源側からのランダム偏光状態の平行光束である入射光束Ｌ０は、無機偏光分離素子１５Ａの、図における「下半分」に入射し、透過光束である偏光成分ＬＰと反射光束である偏光成分ＬＳとに分離される。そして、偏光成分ＬＳは反射光学素子１７により偏光成分ＬＰ１となって、無機偏光分離素子１５Ａの「上半分」に入射する。
【００５４】
偏光成分ＬＰ１の偏光方向は偏光成分ＬＰと同方向であるから、偏光方向を保ったまま
無機偏光分離素子１５Ａの上半分を透過する。
【００５５】
この形態例では、偏光変換された平行光束である偏光成分ＬＰとＬＰ１とが、図の上下方向において互いに密接するように、無機偏光分離素子１５Ａや反射光学素子１７、コリメートレンズ１３等の大きさや位置関係が設定されている。    
無機偏光分離素子１５Ａの形態や構成は、上に説明した各種のものを適宜に利用できることは言うまでも無い。
【００５６】
この形態例においては、無機偏光分離素子１５Ａと反射光学素子１７とが、偏光変換光学系を構成し、略平行光束である入射光束の偏光状態を変換して、１方向に直線偏光した光束とする偏光変換光学系において、平行平板状の透明基板の少なくとも片面に、無機材料による微細周期構造を形成され、入射光束Ｌ０のＰ偏光成分ＬＰを選択的に透過させ、Ｓ偏光成分を反射させる無機偏光分離素子１５Ａと、平反射面１７１Ａと１／４波長層１７２とを組合せてなり、無機偏光分離素子１５Ａにより反射された偏光成分ＬＳを反射し、反射光束ＬＰ１の偏光状態を、無機偏光分離素子１５を透過する偏光成分ＬＰと同じ偏光状態に変換する反射光学素子１７とを有し、無機偏光分離素子１５Ａの入射側面への入射光束の主光線の入射角：θが１°≦θ≦１２°の範囲の角：１０°に設定され、無機偏光分離素子１５Ａを透過した光束ＬＰと、反射光学素子１７により偏光状態を変換された反射光束ＬＰ１とが、互いに平行な光束となるように、無機偏光分離素子１５Ａと反射光学素子１７との相対的な位置関係が定められている。
【００５７】
また、無機偏光分離素子１５Ａの、図３における「上半分の部分」は、反射光学素子１７により反射された反射光束ＬＰ１を、その偏光状態を保ったまま透過させる「平行平板状の透過光学素子」をなしており、無機偏光分離素子を透過した光束ＬＰと、透過光学素子を透過した光束ＬＰ１とが互いに平行な光束となるように、無機偏光分離素子１５Ａと反射光学素子１７と透過光学素子１５Ａとの相対的な位置関係が定められている。さらに、透過光学素子１５Ａは、無機偏光分離素子１５Ａと「同一の光学機能」を有する。
【００５８】
図４は、光源装置の実施の１形態を説明図的に示している。繁雑をさけるため、混同の虞が無いと思われるものについては、図１におけると同一の符号を用いた。  
固体発光素子１１から放射されたランダム偏光状態の発散光束はコリメートレンズ１３により、略平行光束である入射光束Ｌ０に変換され、平行平板状の無機偏光分離素子１５Ｂに入射する。  
無機偏光分離素子１５Ｂは、平行平板状の透明基板の少なくとも片面に、無機材料による微細周期構造を形成され、この実施の形態においては、入射光束Ｌ０におけるＰ偏光成分ＬＰを選択的に透過させ、Ｓ偏光成分ＬＳを反射させることにより、ランダム偏光状態の入射光束Ｌ０を、偏光面が互いに直交するＰ偏光成分ＬＰとＳ偏光成分ＬＳとに分離する。無機偏光分離素子１５Ｂが、Ｓ偏光成分を透過させ、Ｐ偏光成分を反射させるようにする構成も可能である。
【００５９】
無機偏光分離素子１５Ｂは平行平板状であるので、透過したＰ偏光成分ＬＰは入射光束
Ｌ０と同方向に進行する平行光束である。  
無機偏光分離素子１５Ｂは、図の如く、入射光束Ｌ０に対して角：θだけ傾けられてお
り、従って入射光束Ｌ０は入射角：θで無機偏光分離素子１５Ｂに入射する。無機偏光分
離素子１５Ｂにより反射された反射光束はＳ偏光成分ＬＳであり、入射光束Ｌ０に対して
２θ傾いて進行し、反射光学素子１７に入射する。
【００６０】
無機偏光分離素子１５Ｂの傾き角：θは、前述したように、無機偏光分離素子１５Ａの
機能を十分に機能させることができ、なおかつ、光源装置を大型化することなく「反射さ
れた偏光成分ＬＳが固体発光素子１１の発光部へ戻らない」ように、また、反射された偏
光成分ＬＳが反射光学素子１７の平反射面１７１Ａに有効に入射するように、
１°≦θ≦１２°
の範囲、より好ましくは、
２°≦θ≦１０°
の範囲に設定されるが、この実施の形態では１０度に設定されている。
【００６１】
反射光学素子１７は反射鏡１７１の平反射面１７１Ａに、１／４波長層１７２を形成し
てなり、平反射面１７１Ａが無機偏光分離素子１５と平行に対向するように傾けられ、反
射光束であるＳ偏光成分ＬＳが全て入射するように、大きさおよび配置位置を設定されて
いる。
【００６２】
従って、偏光成分ＬＳは反射光学素子１７の平反射面１７１Ａにより全て反射されるが
、反射される際に、１／４波長層１７２を往復透過するので位相が１８０度変換され、偏
光面が９０度旋回される。その結果、反射光束は無機偏光分離素子１５Ｂを透過したＰ偏
光成分ＬＰと同じ偏光方向の光束ＬＰ１となる。平反射面１７１Ａは無機偏光分離素子１
５Ｂと平行に対向しているので、反射光束ＬＰ１はＰ偏光成分ＬＰと平行な光束となる。
【００６３】
この反射光束ＬＰ１は透過光学素子１９に入射する。透過光学素子１９は透明材料による平行平板状であって、反射光学素子１７により反射された反射光束ＬＰ１を「その偏光状態（Ｐ偏光状態）を保ったまま透過」させる。また、無機偏光分離素子１５Ｂを透過した光束ＬＰと、透過光学素子１９を透過した光束ＬＰ１とが、互いに平行な光束となるように、無機偏光分離素子１５Ｂと反射光学素子１７と透過光学素子１９との相対的な位置関係が定められている。
【００６４】
この実施の形態における無機偏光分離素子１５Ｂと反射光学素子１７と透過光学素子１
９は「偏光変換光学系」を構成し、偏光変換された平行光束である偏光成分ＬＰとＬＰ１
とが、図の上下方向において互いに密接するように、無機偏光分離素子１５Ｂ、反射光学
素子１７、透過光学素子１９やコリメートレンズ１３等の大きさや位置関係が設定されて
いる。  
無機偏光分離素子１５Ｂの形態や構成は上に説明した各種のものを適宜利用できる。
【００６５】
即ち、図４の実施の形態においては、無機偏光分離素子１５Ｂと反射光学素子１７と透
過光学素子１９が「偏光変換光学系」を構成する。  
即ち、略平行光束である入射光束の偏光状態を変換して、１方向に直線偏光した光束と
する偏光変換光学系は、平行平板状の透明基板の少なくとも片面に、無機材料による微細周期構造を形成され、入射光束Ｌ０のＰ偏光成分ＬＰを選択的に透過させ、Ｓ偏光成分を反射させる無機偏光分離素子１５Ｂと、平反射面１７１Ａと１／４波長層１７２とを組合せてなり、無機偏光分離素子１５Ｂにより反射された偏光成分ＬＳを反射し、反射光束ＬＰ１の偏光状態を、無機偏光分離素子１５Ｂを透過する偏光成分ＬＰと同じ偏光状態に変換する反射光学素子１７とを有し、無機偏光分離素子１５Ａの入射側面への入射光束の主光線の入射角：θが１°≦θ≦１２°の範囲の角：１０°に設定され、無機偏光分離素子１５Ｂを透過した光束ＬＰと、反射光学素子１７により偏光状態を変換された反射光束ＬＰ１とが互いに平行な光束となるように、無機偏光分離素子１５Ｂと反射光学素子１７との相対的な位置関係が定められ、反射光学素子１７により反射された反射光束ＬＰ１を、その偏光状態を保ったまま透過させる平行平板状の透過光学素子１９を有し、この透過光学素子１９は「無機偏光分離素子１５Ｂと別個の透明平行平板」である。
【００６６】
図４の実施の形態において、透過光学素子１９は、図の如く、偏光成分ＬＰ１の入射方
向に対して、角：βだけ傾けて設けられている。勿論、これに限らず、透過光学素子１９
が偏光成分ＬＰ１に対して直交するようにしてもよい。図４の実施の形態で、角：βは角
：θに等しく、即ち１０°に設定されている。
【００６７】
即ち、無機偏光分離素子１５Ｂと、この無機偏光分離素子１５Ｂとは別個の透過光学素子１９とは密接して屋根型をなして一体化され、無機偏光分離素子１５Ｂを透過した光束ＬＰと透過光学素子１９を透過した光束ＬＰ１とが、互いに平行で近接もしくは密接するように、反射光学素子１７の位置が設定されている（請求項１）。
【００６８】
図４を用いて、請求項６の光源装置を説明する。  
上に説明したところでは、光源である固体発光素子１１は単一の素子であったが、この固体発光素子１１を「図４の図面に直交する方向へ所定のピッチでアレイ配列する」ことができる。アレイ配列の形態としては、複数個の固体発光素子を所定のピッチで配列しても良いし、ＬＤアレイやＬＥＤバーのように、発光部自体がアレイ配列をなし、全体がモノリシックに一体化されたものであることもできる。
【００６９】
このようにして「ランダム偏光状態の発散光を放射する２以上の固体発光素子１１をア
レイ配列してなる固体発光素子アレイ」を構成することができる。  
この固体発光素子アレイにおける各固体発光素子１１から放射される発散光を略平行光
束化するコリメートレンズ１３を、固体発光素子のアレイ配列と同ピッチで、固体発光素
子アレイと平行（図面に直交する方向）にアレイ配列して「コリメートレンズアレイ」と
することができる。
【００７０】
そうすると、固体発光素子アレイの個々の固体発光素子１１からの発散性の光束は、そ
れぞれ対応するコリメートレンズ１３により平行光束化され、図面に直交する方向に互い
に平行に配列する。
【００７１】
一方において、無機偏光分離素子１５Ｂ、反射光学素子１７、透過光学素子１９の形状
を「断面形状を図４の形状としたまま、図面に直交する方向へ長く形成」し、コリメート
レンズアレイにより平行光束化されて図面に直交する方向へ配列する入射光束に対して共
通化し、先に説明したような偏光変換機能を持たせて「個々の光束の偏光状態を全体とし
て、直線偏光状態に変換する偏光変換手段」とすることができる。
【００７２】
このようにして、複数の固体発光素子からの光束を同時に偏光変換できる光源装置（請求項６）を実現できる。
【００７３】
図５を参照して、請求項７記載の光源装置の実施の１形態を説明する。  
ランダム偏光状態の発散光を放射する２以上の固体発光素子１１ａ、１１ｂ、・・が図の上下方向へ所定のピッチでアレイ配列され固体発光素子アレイ１１０を構成する。
【００７４】
コリメートレンズ１３ａ、１３ｂ、・・はそれぞれ、固体発光素子１１ａ、１１ｂ、・
・から放射される発散光を略平行光束化するものであり、固体発光素子１１ａ、１１ｂ、
・・のアレイ配列と同ピッチで、固体発光素子アレイ１１０と平行（図の除下方向）にア
レイ配列して「コリメートレンズアレイ」を構成する。
【００７５】
無機偏光分離素子１５ａ、反射光学素子１７ａ、透過光学素子１９ａは「固体発光素子
１１ａに対応する偏光変換光学系」を構成する。また、無機偏光分離素子１５ｂ、反射光
学素子１７ｂ、透過光学素子１９ｂは「固体発光素子１１ｂに対応する偏光変換光学系」
を構成する。
【００７６】
このようにして、固体発光素子アレイ１１０における固体発光素子ごとに１個の「偏向
変換光学系」が用いられ、これら複数の偏光変換光学系は、固体発光素子アレイ１１０お
よびコリメートレンズアレイのアレイ配列と同ピッチで、同方向（図の上下方向）にアレ
イ配列して「偏光変換手段」である偏光変換光学系アレイを構成する。
【００７７】
この実施の形態でも、複数の固体発光素子１１ａ、１１ｂ、・・からの光束を同時に偏光変換することができる光源装置（請求項７）を実現できる。
【００７８】
また、図５において、固体発光素子ごとに対応する偏光変換光学系を１単位として、その複数単位が所定の１方向（図の上下方向）にアレイ配列する部分は請求項４記載の「偏光変換光学系アレイ」を構成する。
【００７９】
図４において「ランダム偏光状態の発散光を放射する固体発光素子１１と、固体発光素
子１１から放射される発散光を略平行光束化するコリメートレンズ１３と、平行平板状の
透明基板の少なくとも片面に、無機材料による微細周期構造を形成され、入射光束のＰ偏
光成分およびＳ偏光成分の一方を選択的に透過させ、他方を反射させる無機偏光分離素子
１５、１５Ａ、１５Ｂとによる部分」において、無機偏光分離素子にはコリメートレンズ
１３により平行光束化された光が入射するが「反射される偏光成分ＬＳが固体発光素子１
１の発光部へ戻らない」ように、無機偏光分離素子は「コリメートレンズ１３の光軸に対
して傾けて配置され」ており、従って、これらにより構成される部分は、前述の参考技術における光源装置を構成する。
【００８０】
勿論、図５においても、無機偏光分離素子１５ａ、１５ｂ等には、コリメートレンズ１３ａ、１３ｂ等により平行光束化された光が入射するが「反射される偏光成分が固体発光素子１１ａ等の発光部へ戻らない」ように、各無機偏光分離素子は「対応するコリメートレンズの光軸に対して傾けて配置され」ている。
【００８１】
図６に示すのは、図５の実施の形態の変形例である。繁雑を避けるため、混同の恐れがないと思われるものについては、図５におけると同一の符号を付してある。  
ランダム偏光状態の発散光を放射する２以上の固体発光素子１１ａ、１１ｂ、・・が図の上下方向へ所定のピッチでアレイ配列され固体発光素子アレイ１１０を構成する。
【００８２】
コリメートレンズ１３ａ、１３ｂ、・・はそれぞれ、固体発光素子１１ａ、１１ｂ、・
・から放射される発散光を略平行光束化するものであり、固体発光素子１１ａ、１１ｂ、
・・のアレイ配列と同ピッチで、固体発光素子アレイ１１０と平行（図の除下方向）にア
レイ配列して「コリメートレンズアレイ」を構成する。
【００８３】
無機偏光分離素子１５ａ、反射光学素子１７ａ、透過光学素子１９ａは「固体発光素子
１１ａに対応する偏光変換光学系」を構成する。また、無機偏光分離素子１５ｂ、反射光
学素子１７ｂ、透過光学素子１９ｂは「固体発光素子１１ｂに対応する偏光変換光学系」
を構成する。
【００８４】
このようにして、固体発光素子アレイ１１０における固体発光素子ごとに１個の「偏向
変換光学系」が用いられ、これら複数の偏光変換光学系は、固体発光素子アレイ１１０お
よびコリメートレンズアレイのアレイ配列と同ピッチで、同方向（図の上下方向）にアレ
イ配列して「偏光変換手段」である偏光変換光学系アレイを構成する。
【００８５】
図６の形態例では、図の上下方向に配列された反射光学素子１７ａ、１７ｂ・・が透明な平行平板１８ａ、１８ｂ・・により互いに連結され、これら互いに連結された反射光学素子１７ａ、１７ｂ・・、平行平板１８ａ、１８ｂ・・は一体化された「反射光学素子アレイ」を構成する。
無機偏光分離素子１５ａ・・、透過光学素子１９ａ・・も互いに連結されて一体化され「分離透過光学素子アレイ」をなしている。
この形態でも、複数の固体発光素子１１ａ、１１ｂ、・・からの光束を同時に偏光変換することができる。
【００８６】
このように、複数の反射光学素子を平行平板で連結一体化した形態として反射光学素子アレイを形成し、複数の無機偏光分離素子と透過光学素子とを互いに連結一体化した形態として分離透過光学素子アレイを形成するようにすると、製造段階から一体的に形成することができ、「偏光変換光学系アレイ」として組み立てる（上記各アレイを、図６のように位置あわせし、図示されない結合保持手段で一体化すればよい。）ときの作業が簡単化され、製造コストの低減化につながる。
【００８７】
図７に示す例は別の参考例である。繁雑を避けるため、混同の恐れがないと思われるものについては、図５におけると同一の符号を付してある。
この例では、光を偏光状態に拘わりなく透過させる透明な材質による支持部材２０を用いる。支持部材２０は、図面左右方向を厚み方向とする板状である。
【００８８】
支持部材２０の固体発光素子アレイ１１０側の面は、図の上下方向に平行な面２０１ａ、２０１ｂ・・と、上下方向に対して１度〜１２度、好ましくは２度〜１０度傾いた面２０２、２０２ｂ・・・が図の如く交互に形成され、図の上下方向に平行な面２０１ａ、２０１ｂ・・は、個々の固体発光素子１１ａ、１１ｂ・・に対応し、これら固体発光素子からの光の入射面をなしている。
【００８９】
また、傾斜した面２０２、２０２ｂ・・・には、反射光学素子１７ａ、１７ｂ・・が設けられている。
【００９０】
支持部材２０の反対側の面（図で右側の面）には、図の上下方向に平行な面２０４ａ、２０４ｂ・・と、上記傾斜した面２０２ａ、２０２ｂ・・と同じ傾斜角を持つ傾斜面２０３ａ、２０３ｂ・・・が図の如く交互に形成され、個々の傾斜面２０３ａ、２０３ｂ・・・には、無機偏光分離素子１５ａ、１５ｂ・・が設けられている。  
【００９１】
なお、これら無機偏光分離素子は、支持部材２０の表面に直接、図２（ａ）に示す如き「ライン／スペース形状の断面矩形波状溝」を形成し、同じく図２（ａ）に「符号１５５で示す積層体」と同様の積層体を形成することにより構成することもできる。
【００９２】
図７の上下方向に平行な面２０２ａ、２０２ｂ・・は「無機偏光分離素子１５ａ、１５ｂ・・を透過する偏光成分と同じ偏光状態」に変換された平行光束を射出させる面となっている。
【００９３】
この形態でも、複数の固体発光素子１１ａ、１１ｂ、・・からの光束を同時に偏光変換することができる。
【００９４】
このように、複数の反射光学素子・無機偏光分離素子を支持部材２０により互いに連結一体化した形態とすることにより、製造段階から一体的に形成でき「偏光変換光学系アレイ」として組み立てる作業が不要となり、製造コストの低減化につながる。
【図面の簡単な説明】
【００９５】
【図１】光源装置の参考例を説明するための図である。
【図２】無機偏光分離素子の構成例を２例説明するための図である。
【図３】光源装置の別形態例を説明するための図である。
【図４】光源装置の実施の１形態を説明するための図である。
【図５】請求項７記載の光源装置の実施の１形態を説明するための図である。
【図６】図５に即して説明した光源装置の変形例を説明するための図である。
【図７】図５に即して説明した光源装置の変形参考例を説明するための図である。
【符号の説明】
【００９６】
１０      光源装置  
１１      固体発光素子  
１３      コリメートレンズ  
１５      無機偏光分離素子  
１７      反射光学素子
【図１】
0005281379.tif 000002
【図２】
0005281379.tif 000003
【図３】
0005281379.tif 000004
【図４】
0005281379.tif 000005
【図５】
0005281379.tif 000006
【図６】
0005281379.tif 000007
【図７】
0005281379.tif 000008